(57)【要約】【課題】バッテリー端子に接続される複数のヒュージブルリンクを備えたヒュージブルリンクユニットにおいて、ヒュージブルリンク間の交差角度を変更でき、この変更後の交差角度を保持することが容易であるヒュージブルリンクユニットを提供する。【解決手段】バッテリー端子に接続される複数のヒュージブルリンク９，１１を備えたヒュージブルリンクユニット１において、各ヒュージブルリンクとは別体で構成されており、第１のヒュージブルリンク９と、第１のヒュージブルリンク９に対し所定の交差角度Ｘで交差する第２のヒュージブルリンク１１とに係合して、所定の交差角度Ｘを保持する保持用部材５を有する。【選択図】図１
2010251176.tif 000002
【特許請求の範囲】
【請求項１】
バッテリー端子に接続される複数のヒュージブルリンクを備えたヒュージブルリンクユニットにおいて、
前記各ヒュージブルリンクとは別体で構成されており、前記複数のヒュージブルリンクのうちの１つのヒュージブルリンクである第１のヒュージブルリンクと、前記複数のヒュージブルリンクのうちの他の１つのヒュージブルリンクであって前記第１のヒュージブルリンクに対し所定の交差角度で交差する第２のヒュージブルリンクとに係合して、前記第１のヒュージブルリンクと前記第２のヒュージブルリンクとにおける前記所定の交差角度を保持する第１の保持用部材を有することを特徴とするヒュージブルリンクユニット。
【請求項２】
請求項１に記載のヒュージブルリンクユニットにおいて、
前記各ヒュージブルリンクとは別体で構成されており、前記第２のヒュージブルリンクと、前記複数のヒュージブルリンクのうちのさらなる他の１つのヒュージブルリンクであって前記第２のヒュージブルリンクに対し所定の交差角度で交差する第３のヒュージブルリンクとに係合して、前記第２のヒュージブルリンクと前記第３のヒュージブルリンクとにおける前記所定の交差角度を保持する第２の保持用部材を有することを特徴とするヒュージブルリンクユニット。
【請求項３】
請求項１または請求項２に記載のヒュージブルリンクユニットにおいて、
お互いが所定の交差角度で交差する前記各ヒュージブルリンクのそれぞれには、凹部が設けられており、
前記保持用部材が前記凹部に挿入されて、前記各ヒュージブルリンク間の前記所定の交差角度を保持するように構成されていることを特徴とするヒュージブルリンクユニット。
【発明の詳細な説明】
【技術分野】
【０００１】
本発明は、ヒュージブルリンクユニットに係り、特に、自動車等のバッテリー端子の近傍に設置されて使用されるヒュージブルリンクユニットに関する。
【背景技術】
【０００２】
図１７は、従来のヒュージブルリンクユニット（ヒューズユニット）２００の概略構成を示す斜視図である。
【０００３】
特許文献１に記載されている従来のヒュージブルリンクユニット２００では、一方の分割ボディ２０２の内面壁２０４に対峙する規制壁２０６を、他方の分割ボディ２０８の内面壁２１０に立設してある。規制壁２０６には、一方の分割ボディ２０２の内面壁２０４から離れる方向に傾斜する傾斜壁面２１２を設けてある。
【０００４】
規制壁２０６の両端部には、倒れ防止リブ２１４が設けられている。一方の分割ボディ２０２に掛部２１６を有する可撓性腕体２１８を設け、他方の分割ボディ２０８の規制壁２０６に切り欠き部２２０を設けて第１のロック手段を構成し、一方の分割ボディ２０２に係止突起を設け、他方の分割ボディ２０８に係止突起に係合する係合溝２２２を設けて第２のロック手段を構成してある。また、係合溝２２２を、他方の分割ボディ２０８の側面壁２２４，２２６からの延出壁２２８に設けてある。
【０００５】
また、従来の技術に関連する文献として特許文献２を掲げることができる。
【先行技術文献】
【特許文献】
【０００６】
【特許文献１】特開２００２−３２９４５７号公報
【特許文献２】特開２００８−４１３７９号公報
【発明の概要】
【発明が解決しようとする課題】
【０００７】
ところで、上記従来のヒュージブルリンクユニット２００では、Ｌ字状の屈曲形態を維持するために、樹脂ボディ（分割ボディ）２０２，２０８にてロック手段を構成しており、ロック手段を構成するための穴がバスバーおよび樹脂ボディで必要になっている。これにより、ワイヤーハーネス（Ｗ／Ｈ）を接続するときにおける締め付けトルクに対する機械的強度が弱くなっている。
【０００８】
さらに、ヒュージブルリンクユニット２００では、Ｌ字状の（９０°の屈曲）形状を維持するようになっているが、ヒュージブルリンクユニット２００の使用態様によっては、ヒュージブルリンクユニット２００の周辺に設置される機器との干渉を避けるために、９０°以外の交差角度（たとえば、１１０°や１２０°）が必要になる場合がある。
【０００９】
本発明は、上記問題点に鑑みてなされたものであり、バッテリー端子に接続される複数のヒュージブルリンクを備えたヒュージブルリンクユニットにおいて、ヒュージブルリンク間の交差角度を変更でき、この変更後の交差角度を保持することが容易であるヒュージブルリンクユニットを提供することを目的とする。
【課題を解決するための手段】
【００１０】
請求項１に記載の発明は、バッテリー端子に接続される複数のヒュージブルリンクを備えたヒュージブルリンクユニットにおいて、前記各ヒュージブルリンクとは別体で構成されており、前記複数のヒュージブルリンクのうちの１つのヒュージブルリンクである第１のヒュージブルリンクと、前記複数のヒュージブルリンクのうちの他の１つのヒュージブルリンクであって前記第１のヒュージブルリンクに対し所定の交差角度で交差する第２のヒュージブルリンクとに係合して、前記第１のヒュージブルリンクと前記第２のヒュージブルリンクとにおける前記所定の交差角度を保持する第１の保持用部材を有するヒュージブルリンクユニットである。
【００１１】
請求項２に記載の発明は、請求項１に記載のヒュージブルリンクユニットにおいて、前記各ヒュージブルリンクとは別体で構成されており、前記第２のヒュージブルリンクと、前記複数のヒュージブルリンクのうちのさらなる他の１つのヒュージブルリンクであって前記第２のヒュージブルリンクに対し所定の交差角度で交差する第３のヒュージブルリンクとに係合して、前記第２のヒュージブルリンクと前記第３のヒュージブルリンクとにおける前記所定の交差角度を保持する第２の保持用部材を有するヒュージブルリンクユニットである。
【００１２】
請求項３に記載の発明は、請求項１または請求項２に記載のヒュージブルリンクユニットにおいて、お互いが所定の交差角度で交差する前記各ヒュージブルリンクのそれぞれには、凹部が設けられており、前記保持用部材が前記凹部に挿入されて、前記各ヒュージブルリンク間の前記所定の交差角度を保持するように構成されているヒュージブルリンクユニットである。
【発明の効果】
【００１３】
本発明によれば、バッテリー端子に接続される複数のヒュージブルリンクを備えたヒュージブルリンクユニットにおいて、ヒュージブルリンク間の交差角度を変更でき、この変更後の交差角度を保持することが容易であるという効果を奏する。
【図面の簡単な説明】
【００１４】
【図１】本発明の第１の実施形態に係るヒュージブルリンクユニットの概略構成を示す斜視図である。
【図２】ヒュージブルリンクユニットに使用されるバスバーの概略構成を示す斜視図である。
【図３】図１におけるＩＩＩ矢視図である。
【図４】ヒュージブルリンクユニットに使用される保持用部材の概略構成を示す斜視図である。
【図５】変形例に係る保持用部材の概略構成を示す斜視図である。
【図６】ヒュージブルリンクユニットに、ヒュージブルリンクワイヤを設置した状態を示す図であり、図３に対応した図である。
【図７】図１におけるＶＩＩ矢視図である。
【図８】図７におけるＶＩＩＩ矢視図である。
【図９】図７におけるＩＸ矢視図である。
【図１０】本発明の第２の実施形態に係るヒュージブルリンクユニットの概略構成を示す図である。
【図１１】ヒュージブルリンクユニットの設置態様の一例を示す図である。
【図１２】ヒュージブルリンクユニットの設置態様の他の一例を示す図である。
【図１３】ヒュージブルリンクユニットの設置態様のさらなる他の一例を示す図である。
【図１４】バッテリー端子が立設されている凹部の底面と、バッテリーの上面との間の距離が異なっている場合におけるヒュージブルリンクユニットの設置形態を示す図である。
【図１５】保持用部材の設置形態を示す図である。
【図１６】保持用部材の設置形態の変形例を示す図である。
【図１７】従来のヒュージブルリンクユニットの概略構成を示す斜視図である。
【発明を実施するための形態】
【００１５】
［第１の実施形態］
図１は、本発明の第１の実施形態に係るヒュージブルリンクユニット１の概略構成を示す斜視図であり、図２は、ヒュージブルリンクユニット１に使用されるバスバー３の概略構成を示す斜視図である。
【００１６】
図３は、図１におけるＩＩＩ矢視図であり、図４は、ヒュージブルリンクユニット１に使用される保持用部材５の概略構成を示す斜視図であり、図５は、変形例に係る保持用部材５ａの概略構成を示す斜視図である。
【００１７】
図６は、ヒュージブルリンクユニット１に、ヒュージブルリンクワイヤ７を設置した状態を示す図であり、図３に対応した図である。
【００１８】
図７は、図１におけるＶＩＩ矢視図であり、図８は、図７におけるＶＩＩＩ矢視図であり、図９は、図７におけるＩＸ矢視図である。
【００１９】
ヒュージブルリンクユニット（ヒューズユニット）１は、たとえば自動車のバッテリー端子（図１では図示せず）に接続され、自動車のバッテリーの近傍に設置されて使用されるものであり、バッテリー端子に接続される複数のヒュージブルリンク９，１１と保持用部材５とを備えている。
【００２０】
保持用部材５は、ヒュージブルリンク９，１１とは別体であって、金属等の剛性の高い材料で構成されている。そして、保持用部材（ロック片；金属片）５が、ヒュージブルリンク９とヒュージブルリンク１１とに係合して、ヒュージブルリンク９とヒュージブルリンク１１とにおける所定の交差角度（屈曲角度）Ｘ（図３参照）を規定し保持するように構成されている。
【００２１】
なお、ヒュージブルリンク９は、すでに理解されるように、複数のヒュージブルリンク９，１１のうちの１つのヒュージブルリンクであり、ヒュージブルリンク１１は、複数のヒュージブルリンクのうちの他の１つのヒュージブルリンクであって、ヒュージブルリンク９に隣接しつながって、ヒュージブルリンク９に対し所定の交差角度Ｘで交差するヒュージブルリンクである。
【００２２】
また、お互いが所定の交差角度Ｘで交差する各ヒュージブルリンク９，１１のそれぞれには、凹部１３，１５が設けられている。そして、保持用部材５が各凹部１３，１５に挿入されて、各ヒュージブルリンク９，１１間の所定の交差角度Ｘを規定し保持するように構成されている。
【００２３】
ヒュージブルリンクユニット１についてより詳しく説明する。
【００２４】
ヒュージブルリンクユニット１は、前述したように複数の（たとえば、２つの）ヒュージブルリンク９，１１を備えて構成されている。各ヒュージブルリンク９，１１は、金属等の導電性を備えた材料で構成されたバスバー３と絶縁性の樹脂で構成された樹脂ボディ１９，２１とを備えている。
【００２５】
すなわち、ヒュージブルリンクユニット１は、１つのバスバー（一体成形された１つのバスバー、もしくは、複数の素材を接合して一体的に形成された１つのバスバー）１７と、１つのバスバー３の所定の複数箇所を覆うように、お互いが離れて１つのバスバー３に一体的に設けられた複数の（たとえば２箇所の）樹脂ボディ１９，２１とを備えて構成されている。
【００２６】
２つのヒュージブルリンク９，１１でヒュージブルリンクユニットが構成されている場合にあっては、１つのバスバー３の一方の側の所定の箇所を樹脂ボディ１９が覆っており、１つのバスバー３の他方の側の所定の箇所を樹脂ボディ２１が覆っている。そして、樹脂ボディ１９が設けられている側の部位が、ヒュージブルリンク９を構成しており、樹脂ボディ２１が設けられている側の部位が、ヒュージブルリンク１１を構成している。
【００２７】
樹脂ボディ１９と樹脂ボディ２１とは、たとえばインサート成形によってバスバー３に設けられており（バスバー３に一体成形されており）、樹脂ボディ１９と樹脂ボディ２１との間では、バスバー３が露出している。ヒュージブルリンク９とヒュージブルリンク１１とは、バスバー３が露出している部位（ヒンジ部５９）でお互いがつながっている。
【００２８】
そして、バスバー３が露出している部位（ヒンジ部５９）でバスバー３をこの厚さ方向に曲げることにより、ヒュージブルリンク９とヒュージブルリンク１１とが所定の交差角度（１８０°でもよい。）Ｘで交差するようになっている。また、バスバー３が図示しないバッテリー端子に接続されることにより、ヒュージブルリンクユニット１（各ヒュージブルリンク９，１１）が、前記バッテリー端子に接続されるようになっている。
【００２９】
保持用部材５は、バスバー３や樹脂ボディ１９，２１とは別体で構成されている。樹脂ボディ１９には、保持用部材５の長手方向の一方の部位が挿入されて嵌合する凹部１３が設けられており、樹脂ボディ２１には、保持用部材５の長手方向の他方の部位が挿入されて嵌合する凹部１５が設けられている。
【００３０】
また、保持用部材５は、この長手方向の中間部で、所定の角度Ｙ（図４参照）で曲がっている。そして、保持用部材５を各樹脂ボディ１９，２１の各凹部１３，１５に挿入して嵌合させることにより、保持用部材５が各ヒュージブルリンク９，１１に固定されると共に、ヒュージブルリンク９とヒュージブルリンク１１との交差角度Ｘが、保持用部材５の曲がり角度Ｙと同じ角度になって固定され保持されるようになっている。すなわち、保持用部材５の曲げ角度Ｙを調節することで、ヒュージブルリンク９とヒュージブルリンク１１との交差角度Ｘを規制（規定）することができるようになっている。
【００３１】
また、より詳しくは第２の実施形態において図１０等を用いて説明するが、３つのヒュージブルリンク２３，２５，２７でヒュージブルリンクユニット１ａが構成されている場合にあっては、１つのバスバー２９の一方の側の所定の箇所を樹脂ボディ３１が覆っており、１つのバスバー２９の中間の所定の箇所を樹脂ボディ３３が覆っており、１つのバスバー２９の他方の側の所定の箇所を樹脂ボディ３５が覆っている。そして、樹脂ボディ３１が設けられている部位が、ヒュージブルリンク２３を構成しており、樹脂ボディ３３が設けられている部位が、ヒュージブルリンク２５を構成しており、樹脂ボディ３５が設けられている側の部位が、ヒュージブルリンク２７を構成している。
【００３２】
樹脂ボディ３１と樹脂ボディ３３と樹脂ボディ３５とは、２つのヒュージブルリンク９，１１でヒュージブルリンクユニットが構成されている場合と同様にして、たとえばインサート成形によってバスバー２９に設けられており、樹脂ボディ３１と樹脂ボディ３３との間、および、樹脂ボディ３３と樹脂ボディ３５との間では、バスバー２９が露出している。ヒュージブルリンク２３とヒュージブルリンク２５とは、バスバー２９が露出している部位（ヒンジ部９７）でお互いがつながっており、ヒュージブルリンク２５とヒュージブルリンク２７とは、バスバー２９が露出している他の部位（ヒンジ部９９）でお互いがつながっている。
【００３３】
そして、バスバー２９が露出している各部位（各ヒンジ部９７，９９）でバスバー２９を曲げることにより、ヒュージブルリンク２３とヒュージブルリンク２５とが所定の交差角度で交差し、ヒュージブルリンク２５とヒュージブルリンク２７とが所定の交差角度で交差するようになっている。バスバー２９がバッテリー端子９３（図１１等参照）に接続されることにより、ヒュージブルリンクユニット１ａ（各ヒュージブルリンク２３，２５，２７）が、バッテリー端子９３に接続されるようになっている。
【００３４】
また、２つのヒュージブルリンク９，１１でヒュージブルリンクユニット１が構成されている場合と同様にして、各樹脂ボディ３１，３３，３５には凹部３７，３９，４１（図１０（ｂ）参照）が設けられている。そして、樹脂ボディ３１の凹部３７と樹脂ボディ３３の凹部３９とに保持用部材４３が挿入されて嵌合され、樹脂ボディ３３の凹部３９と樹脂ボディ３５の凹部４１とに別の保持用部材４５が挿入されて嵌合し、各ヒュージブルリンク２３，２５，２７間の交差角度が固定され保持されるようになっている（図１５参照）。
【００３５】
なお、樹脂ボディ３１の凹部３７と樹脂ボディ３３の凹部３９とに挿入されて嵌合される保持用部材４３と、樹脂ボディ３３の凹部３９と樹脂ボディ３５の凹部４１とに挿入されて嵌合される保持用部材４５とは、別体になっている（図１５参照）が、これらの各保持用部材４３，４５をお互いにつなげて、１つの保持用部材４７としてもよい（図１６参照）。
【００３６】
ところで、図１等に示すヒュージブルリンクユニット１における樹脂ボディ１９の凹部１３の内面では、樹脂ボディ１９の材料があらわれているのでバスバー３は露出していない。樹脂ボディ２１の凹部１５の内面でも同様である。
【００３７】
したがって、保持用部材５等を樹脂ボディ１９の凹部１３等に設置した状態では、バスバー３等と保持用部材５等との間に樹脂ボディ１９等の材料が存在しており、バスバー３等と保持用部材５等とがお互いに接触していることはない。ただし、樹脂ボディ１９の凹部１３等の内面でバスバー３等が露出するように樹脂ボディ１９等を設け、保持用部材５等を樹脂ボディ１９の凹部１３等に設置した状態でバスバー３等と保持用部材５等とがお互いに接触する構成であってもよい。
【００３８】
ここで、ヒュージブルリンクユニット１について、図１等を参照しつつ例を掲げてさらに詳しく説明する。
【００３９】
ヒュージブルリンクユニット１は、前述したように、１つのバスバー３と、２つの樹脂ボディ１９，２１とを備えた２つのヒュージブルリンク９，１１で構成されている。
【００４０】
バスバー３は、平板状の金属で構成された素材をプレス成形することによって形成されており、バッテリー側平板状部４９と、オルタネータ側平板状部５０と、スタータモータ側平板状部５１と、機器側平板状部５３と、バッテリー側平板状部４９とオルタネータ側平板状部５０との間でバッテリー側平板状部４９とオルタネータ側平板状部５０とをお互いにつないでいる第１の可溶部（ヒューズエレメント）５５と、スタータモータ側平板状部５１と機器側平板状部５３とをお互いにつないでいる第２の可溶部（ヒューズエレメント）５７とを備えて構成されている（図２参照）。
【００４１】
樹脂ボディ１９，２１を設ける前にあっては、バスバー３は、曲がっておらずに平板状に形成されている。これにより、樹脂ボディ１９，２１のインサート成形がしやすくなっている。
【００４２】
樹脂ボディ１９，２１を設ける前のバスバー３では、バッテリー側平板状部４９とスタータモータ側平板状部５１とは、１つの平板状の形態に形成されており、バッテリー側平板状部４９とスタータモータ側平板状部５１との境界にヒンジ部５９が形成されるようになっている。バスバー３に樹脂ボディ１９，２１を設けた後に、ヒンジ部５９のところでバスバー３をこの厚さ方向で曲げることにより、各ヒュージブルリンク９，１１が所定の角度Ｘで交差するようになっている。
【００４３】
また、樹脂ボディ１９，２１を設ける前のバスバー３では、バッテリー側平板状部４９とオルタネータ側平板状部５０とスタータモータ側平板状部５１と機器側平板状部５３と第１の可溶部５５と第２の可溶部５７とはほぼ同一平面上に位置している。一方、バスバー３に樹脂ボディ１９，２１を設けた後にヒンジ部５９でバスバー３を曲げることにより、バッテリー側平板状部４９と第１の可溶部５５とオルタネータ側平板状部５０とがほぼ同一平面上に位置し、スタータモータ側平板状部５１と第２の可溶部５７と機器側平板状部５３とがほぼ同一平面（別の平面）上に位置し、ヒュージブルリンク９（バッテリー側平板状部４９等）とヒュージブルリンク１１（スタータモータ側平板状部５１等）とが所定の角度Ｘで交差するようになっている。
【００４４】
バッテリー側平板状部４９の中央部には、ヒュージブルリンクユニット１を図示しないバッテリー端子に接続するためのバッテリー端子接続部６１（バッテリー端子接続用貫通孔；バッテリー側平板状部４９の厚さ方向に貫通している貫通孔）が設けられている。オルタネータ側平板状部５０の中央部には、ヒュージブルリンクユニット１を図示しないオルタネータ端子に接続するためのオルタネータ端子接続部６３（オルタネータ端子接続用貫通孔；オルタネータ側平板状部５０の厚さ方向に貫通している貫通孔）が設けられている。スタータモータ側平板状部５１の先端部側（ヒンジ部５９から離れた側）には、ヒュージブルリンクユニット１を図示しないスタータモータ端子に接続するためのスタータモータ端子接続部６５（スタータモータ端子接続用貫通孔；スタータモータ側平板状部５１の厚さ方向に貫通している貫通孔）が設けられている。機器側平板状部５３の中央部には、ヒュージブルリンクユニット１を図示しない電気機器（たとえば、ヘッドライト）の端子に接続するための機器接続部６７（機器接続用貫通孔；機器側平板状部５３の厚さ方向に貫通している貫通孔）が設けられている。
【００４５】
バスバー３への樹脂ボディ１９，２１の設置は、バスバー３のオルタネータ端子接続用貫通孔６３にボルト６９を挿入し、バスバー３の機器接続用貫通孔６７にナット７１を係合させ、バスバー３のスタータモータ端子接続用貫通孔６５にナット７３を係合させた状態でなされている。これにより、ボルト６９とナット７１，７３とが、バスバー３や樹脂ボディに１９，２１一体的に設置されている。
【００４６】
バスバー３のオルタネータ端子接続用貫通孔６３へのボルト６９の挿入は、ボルト６９の頭部がオルタネータ側平板状部５０の厚さ方向の一方の面に当接し、ボルト６９の雄ネジ部がオルタネータ側平板状部５０の厚さ方向の他方の面から突出するようにしてなされている。
【００４７】
バスバー３の機器接続用貫通孔６７へのナット７１の係合は、機器接続用貫通孔６７とナット７１の雌ねじとが同軸になり、ナット７１が機器側平板状部５３の厚さ方向の一方の面に当接するようにしてなされている。バスバー３のスタータモータ端子接続用貫通孔６５へのナット７３の係合も、同様にしてなされている。
【００４８】
また、ヒュージブルリンク９を構成している樹脂ボディ１９の設置は、オルタネータ端子接続用貫通孔６３へ設置されたボルト６９の雄ネジ部とこの雄ネジ部周辺のオルタネータ側平板状部５０とが露出し、第１の可溶部５５とこの周辺とが露出し、バッテリー端子接続用貫通孔６１とこの貫通孔６１周辺のバッテリー側平板状部４９とが露出し、ヒンジ部５９とこの近傍の部位とが露出するようにしてなされている。
【００４９】
ヒュージブルリンク１１を構成している樹脂ボディ２１の設置は、機器接続用貫通孔６７とこの貫通孔６７に係合しているナット７１の雌ネジとが露出し、機器接続用貫通孔６７の周辺における機器側平板状部５３の所定の部位が露出し、第２の可溶部５７が露出し、スタータモータ端子接続用貫通孔６５とこの貫通孔６５に係合しているナット７３の雌ネジとが露出し、スタータモータ端子接続用貫通孔６５とこの貫通孔６５周辺のスタータモータ側平板状部５１とが露出し、ヒンジ部５９とこの近傍の部位とが露出するようにしてなされている。
【００５０】
これにより、樹脂ボディ１９と、樹脂ボディ２１とは、ヒンジ部５９の箇所で分離されている。
【００５１】
なお、上記露出している、機器接続用貫通孔６７の周辺における機器側平板状部５３の所定の部位とは、機器側平板状部５３の厚さ方向でナット７１とは反対側に位置している機器側平板状部５３の部位であって、機器接続用貫通孔６７周辺の部位である。上記露出している、スタータモータ端子接続用貫通孔６５の周辺におけるスタータモータ側平板状部５１の所定の部位も、同様である。
【００５２】
ところで、バスバー３に樹脂ボディ１９，２１が設けられ、ヒンジ部５９でバスバー３が曲げられる前の状態である初期状態にあっては、各ヒュージブルリンク９，１１で構成されたヒュージブルリンクユニット１は、厚さ方向がバスバー３の厚さ方向とほぼ一致する平板状に形成されている。
【００５３】
凹部（スリット）１３は樹脂ボディ１９に形成されており、凹部（スリット）１５は樹脂ボディ２１に形成されている。
【００５４】
樹脂ボディ１９に形成されている凹部１３は、樹脂ボディ１９の側面に形成されている。すなわち、凹部１３は、ヒンジ部５９の直線状の曲げ線に対してほぼ直交する樹脂ボディ１９の面に形成されている。凹部１３は、矩形な平板状の空間で形成されている。凹部１３の厚さ方向は、樹脂ボディ１９（バッテリー側平板状部４９）の厚さ方向とほぼ一致している。凹部１３の深さ方向は、樹脂ボディ１９の幅方向（ヒンジ部５９の曲げ線の延伸方向）とほぼ一致している。凹部１３の長さ方向は、ヒンジ部５９から離れる方向とほぼ一致している。
【００５５】
また、凹部１３は、この厚さ方向では、樹脂ボディ１９の厚さ方向の中間部に位置している。より詳しくは、樹脂ボディ１９の厚さ方向の中間部にバスバー３が位置しているが、このバスバー３によって区切られた厚さ方向の一方の部位（樹脂ボディ１９の一方の部位）の中間部に、凹部１３が位置している。
【００５６】
さらに、凹部１３は、この深さ方向では、樹脂ボディ１９の側面で開口していると共に、凹部１３の底部が樹脂ボディ１９の中間部に位置している。また、凹部１３は、この長手方向では、樹脂ボディ１９におけるヒンジ部５９に対している面で開口しており、凹部１３の底部が樹脂ボディ１９の中間部に位置している。
【００５７】
第２の凹部（スリット）１５も、凹部１３と同様な形状に形成されており、樹脂ボディ２１に同様に設けられている。
【００５８】
保持用部材５は、幅が各凹部１３，１５の深さとほぼ等しく、厚さが各凹部１３，１５の厚さよりもごく僅かに薄く、長さが、凹部１３の長さと凹部１５の長さヒンジ部５９の長さとの和よりも僅かに短い平板状の素材を、この長手方向の中間部で厚さ方向に所定の角度Ｙだけ曲げた「く」字状に形成されている（図４参照）。
【００５９】
このように曲げられていることにより、曲げ線を間にした一方の平板状の部位である第１の部位７５と、曲げ線を間にした他方の平板状の部位である第２の部位７７とが形成される。そして、第１の部位７５が凹部１３に挿入され、第２の部位７７が凹部１５に挿入されるようになっている。
【００６０】
なお、第１の部位７５の角部には、斜めの切り欠き（第１の部位７５をこの厚さ方向から見た場合に、面取りのように形成されている切り欠き）７９が設けられており、これにより、凹部１３，１５への保持用部材５の設置がしやすくなっている。
【００６１】
また、保持用部材５には、この保持用部材５を樹脂ボディ１９，２１の凹部１３，１５に挿入して設置したときに、保持用部材５が凹部１３，１５から抜け出てしまうことを防止し（保持用部材５が各ヒュージブルリンク９，１１から分離されてしまうことを防止し）、樹脂ボディ１９，２１と保持用部材５とを一体化するための係止手段が設けられている。
【００６２】
上記係止手段として、第１の部位７５の厚さ方向の一方の面に設けられたターミナルランス８１と、第２の部位７７の厚さ方向の一方の面に設けられたターミナルランス８３とを掲げることができる。
【００６３】
ターミナルランス８１は、保持用部材５に出没自在に設けられている。また、ターミナルランス８１はバネ（図示せず）等の付勢手段によって、保持用部材５から最も突出するような付勢がされている。なお、ターミナルランス８１が、保持用部材５から分離することはない。ターミナルランス８３もターミナルランス８１と同様にして設けられている。
【００６４】
そして、凹部１３，１５に保持用部材５を設置している途中の状態では、ターミナルランス８１，８３が凹部１３，１５の内壁に押されて凹み、凹部１３，１５に保持用部材５を設置し終えた状態では、樹脂ボディ１９，２１の凹部１３，１５の内壁に設けられている小さな窪み（図示せず）内にターミナルランス８１，８３が突出し、この突出したターミナルラス８１，８３が、前記小さな窪みに引っかかることによって、保持用部材５と樹脂ボディ１９，２１とが一体化されるようになっている。
【００６５】
なお、図５で示すように、保持用部材５ａをボルト８５により、ヒュージブルリンク９，１１に固定してもよい。この場合において、樹脂ボディ１９，２１に凹部を形成するこなく、保持用部材５ａを樹脂ボディ１９，２１の外面に貼り付ける等して一体的に設置し、各樹脂ボディ１９，２１の間の交差角度（各ヒュージブルリンク９，１１間の交差角度）を固定し保持してもよい。
【００６６】
ここで、ヒュージブルリンクユニット１の組み立て手順について説明する。
【００６７】
まず、上述した初期状態（ヒンジ部５９で曲げがなされていない）のヒュージブルリンクユニット１を、ヒンジ部５９のところで所望の角度に近い角度に折り曲げる。また、保持用部材５を曲げ線のところで、前記所望の角度に折り曲げる。
【００６８】
続いて、凹部１３，１５に保持用部材５を挿入して、保持用部材５を樹脂ボディ１９，２１に一体的に固定する。
【００６９】
これにより、ヒュージブルリンクユニット１の組み立てが終了する。このようにして組み立てられたヒュージブルリンクユニット１を、バッテリー端子等に接続して、自動車等のバッテリーの近傍で前記バッテリーに一体的に組み付ける。
【００７０】
ヒュージブルリンクユニット１によれば、ヒュージブルリンク９，１１とは別体で構成された保持用部材５がヒュージブルリンク９，１１に係合して、ヒュージブルリンク９，１１同士の交差角度Ｘを固定し保持するので、ヒュージブルリンク９，１１同士の交差角度を変更し（たとえば、９０°以外の角度である１１０°等の交差角度に変更し）、この変更後の交差角度を保持（維持）する場合、保持用部材５の曲げ角度Ｙを変更すればよく、ヒュージブルリンク９，１１同士の交差角度Ｘの変更が容易になる。
【００７１】
そして、ヒュージブルリンクユニット１の使用態様（用途）が変わった場合であっても、ヒュージブルリンク９，１１同士の交差角度Ｘを変更することで、ヒュージブルリンクユニット１の周辺に設置される機器とヒュージブルリンクユニット１との干渉を容易に避けることができる。
【００７２】
また、剛性の高い保持用部材５でヒュージブルリンク９，１１同士を保持しているので、ヒュージブルリンクユニット１の剛性が高くなり、ヒュージブルリンクユニット１にワイヤーハーネス（Ｗ／Ｈ）を接続するときにおける締め付けトルクに対する機械的強度が強くなっており、樹脂ボディ１９，２１が割れる等の不具合の発生を防止することができる。
【００７３】
また、保持用部材５を金属で構成することにより、ヒュージブルリンクユニット１が発した熱が保持用部材５を通して大気に逃げ、ヒュージブルリンクユニット１が冷却されやすくなっている。
【００７４】
また、ヒュージブルリンクユニット１によれば、ヒュージブルリンク９，１１間の交差角度Ｘを規定し保持する際に、ヒュージブルリンク９，１１の凹部１３，１５に保持用部材５を挿入すればよいので、ヒュージブルリンクユニット１の組み立てが簡素化される。
【００７５】
また、ヒュージブルリンク９，１１間の交差角度Ｘを鈍角にすれば、図６で示すように、ヒュージブルリンクユニット１をバッテリー端子９３に設置した場合、バッテリー９５とヒュージブルリンクユニット１との間のスペースを広げることができ、この広がった空間に、コネクタ９１が設けられているヒュージブルリンクワイヤ７を設置することができる。
【００７６】
ところで、図１や図３で示すように、ヒュージブルリンクユニット１の各樹脂ボディ１９，２１にリブ８７，８９を設けてもよい。
【００７７】
すなわち、樹脂ボディ１９の表面（凹部１３を間にしてバスバー３とは反対側に位置している面）に細長いリブ８７を突出して設け、樹脂ボディ２１の表面（凹部１５を間にしてバスバー３とは反対側に位置している面）に細長いリブ８９を突出して設けることにより、樹脂ボディ１９，２１の強度を向上させてもよい。この強度の向上によって、凹部１３，１５に保持用部材５を設置するときやその後に樹脂ボディ１９，２１が割れる等して破損しまう事態を回避することができる。
【００７８】
［第２の実施形態］
図１０は、本発明の第２の実施形態に係るヒュージブルリンクユニット１ａの概略構成を示す図であり、図１０（ａ）は、ヒュージブルリンクユニット１ａの平面図であり、図１０（ｂ）は、図１０（ａ）におけるＢ矢視図である。
【００７９】
第２の実施形態に係るヒュージブルリンクユニット１ａは、３つのヒュージブルリンク２３，２５，２７を備えて構成されており、これらのヒュージブルリンク間の交差角度を、２つの保持用部材４３，４５を用いて規制する点が、第１の実施形態に係るヒュージブルリンクユニット１とは異なり、その他の点は、第１の実施形態に係るヒュージブルリンクユニット１とほぼ同様に構成されている。
【００８０】
すなわち、第２の実施形態に係るヒュージブルリンクユニット１ａは、バスバー２９の一方の側の部位と樹脂ボディ３１とを備えて構成されているヒュージブルリンク２３と、バスバー２９の中間部と樹脂ボディ３３とを備えて構成されているヒュージブルリンク２５と、バスバー２９の他方の側の部位と樹脂ボディ３５とを備えて構成されているヒュージブルリンク２７とを備えている。
【００８１】
そして、図１５で示すように、ヒュージブルリンク２３とヒュージブルリンク２５との交差角度が、保持用部材４３によって規制されており、ヒュージブルリンク２５とヒュージブルリンク２７との交差角度が、保持用部材４５によって規制されている。
【００８２】
図１０で示すヒンジ部（ヒュージブルリンク２３とヒュージブルリンク２５との間のヒンジ部）９７と、ヒンジ部（ヒュージブルリンク２５とヒュージブルリンク２７との間のヒンジ部）９９とのところで、バスバー２９が曲げられるようになっている。
【００８３】
なお、ヒュージブルリンク２３には、バッテリー端子接続用貫通孔６１が設けられており、ヒュージブルリンク２５には、可溶部５５，５７が設けられており、ヒュージブルリンク２７には、タブ端子１０１が設けられている。
【００８４】
図１１は、ヒュージブルリンクユニット１ａの設置態様の一例を示す図である。
【００８５】
図１１に示す態様では、ヒュージブルリンクユニット１ａの各ヒンジ部９７，９９を曲げることなく、バッテリー端子接続用貫通孔６１に接合されているバッテリー端子接続用スタッドボルト１０３を介して、ヒュージブルリンクユニット１ａがバッテリー端子９３に設置されており、ヒュージブルリンクユニット１ａがバッテリー９５の上面に沿って延びている。
【００８６】
図１２は、ヒュージブルリンクユニット１ａの設置態様の他の一例を示す図である。図１２に示す態様では、ヒュージブルリンクユニット１ａのヒンジ部９７のみをたとえば直角に曲げてある。そして、バッテリー端子接続用貫通孔６１に接合されているバッテリー端子接続用スタッドボルト１０３を介して、ヒュージブルリンクユニット１ａがバッテリー端子９３に設置されている。この状態で、ヒュージブルリンクユニット１ａのヒュージブルリンク２５とヒュージブルリンク２７とが、バッテリー９５の側面に沿って下方に延出している。また、図１２に示す態様では、バッテリー端子９３は、バッテリー９５の上面から下方に凹んだ凹部に立設されている（ＤＩＮ規格のバッテリー）。
【００８７】
図１３は、ヒュージブルリンクユニット１ａの設置態様のさらなる他の一例を示す図である。図１３に示す態様では、ヒュージブルリンクユニット１ａの各ヒンジ部９７，９９を、両端に存在している各ヒュージブルリンク２３，２７がお互いにほぼ平行になるように、各ヒンジ部９７，９９を鈍角の角度に曲げてある。そして、バッテリー端子接続用貫通孔６１に接合されているバッテリー端子接続用スタッドボルト１０３を介して、ヒュージブルリンクユニット１ａがバッテリー端子９３に設置されている。なお、図１３に示す態様でも、図１２に示す場合と同様にして、バッテリー端子９３が、バッテリー９５の上面から下方に凹んだ凹部に立設されている。そして、ヒュージブルリンクユニット１ａをバッテリー端子９３に設置した状態では、ヒュージブルリンク２７のみが、バッテリー９５の上面に沿って延びている。
【００８８】
なお、図１３で示す場合において、バッテリー端子９３が立設されている凹部の平面状の底面と、バッテリー９５の上面との間の距離（段差寸法）が異なっている場合（図１４（ａ）で示す寸法ｈ１と図１４（ｂ）で示す寸法ｈ２とが異なっている場合）であっても、各ヒンジ部９７，９９の曲げ角度（保持用部材４３、４５の曲げ角度）を適宜変更することにより、バッテリー端子９３から最も離れているヒュージブルリンク２７を、バッテリー９５の上面から適宜の距離だけ離して、バッテリー９５の上面に対して平行に設置することができる。
【００８９】
ヒュージブルリンクユニット１ａによれば、３つのヒュージブルリンク２３，２５，２７が直列につながっており、保持用部材４３，４５によって各ヒュージブルリンク２３，２５，２７間の交差角度を調整し保持することが容易になっているので、図１３等で示すような段差を有するバッテリー９５の外形（表面）に沿わせてヒュージブルリンクユニット１ａを設置することができる。これにより、ヒュージブルリンクユニット１ａの設置に要するスペースを小さくすることができる。
【００９０】
なお、ヒュージブルリンクユニットとして、４つ以上の複数のヒュージブルリンクを備えたものを採用してもよい。この場合において、総てのヒュージブルリンクが直列に接続されている必要はなく、一部が枝別れして並列に接続されていてもよい。
【符号の説明】
【００９１】
１、１ａ  ヒュージブルリンクユニット
３、２９  バスバー
５、５ａ、４３、４５、４７  保持用部材
９、１１、２３、２５、２８  ヒュージブルリンク
１３、１５、３７、３９、４１  凹部
１９、２１、３１、３３、３５  樹脂ボディ
【図１】
2010251176.tif 000003
【図２】
2010251176.tif 000004
【図３】
2010251176.tif 000005
【図４】
2010251176.tif 000006
【図５】
2010251176.tif 000007
【図６】
2010251176.tif 000008
【図７】
2010251176.tif 000009
【図８】
2010251176.tif 000010
【図９】
2010251176.tif 000011
【図１０】
2010251176.tif 000012
【図１１】
2010251176.tif 000013
【図１２】
2010251176.tif 000014
【図１３】
2010251176.tif 000015
【図１４】
2010251176.tif 000016
【図１５】
2010251176.tif 000017
【図１６】
2010251176.tif 000018
【図１７】
2010251176.tif 000019